(57)【要約】【課題】ロックが解除されたカバーをユーザが容易に認知することができる記録装置を提供する。【解決手段】搬送経路に沿って記録媒体を搬送する搬送手段と、前記搬送手段により搬送される記録媒体に対して記録する記録手段と、開閉可能に設けられ、開いた状態のときに前記搬送経路を外部に露出するとともに、閉じた状態のときに前記搬送経路を外部から遮蔽するカバー手段と、前記カバー手段を閉じた状態にロックするロック手段とを有する記録装置であって、前記カバー手段は、前記カバー手段を開く方向に付勢する付勢手段を備え、前記ロック手段のロックが解除されると前記付勢手段の付勢力によって所定量だけ開くようにした。【選択図】図９
2019136915.tif 000002
【特許請求の範囲】
【請求項１】
搬送経路に沿って記録媒体を搬送する搬送手段と、
前記搬送手段により搬送される記録媒体に対して記録する記録手段と、
開閉可能に設けられ、開いた状態のときに前記搬送経路を外部に露出するとともに、閉じた状態のときに前記搬送経路を外部から遮蔽するカバー手段と、
前記カバー手段を閉じた状態にロックするロック手段と
を有する記録装置であって、
前記カバー手段は、前記カバー手段を開く方向に付勢する付勢手段を備え、前記ロック手段のロックが解除されると前記付勢手段の付勢力によって所定量だけ開く
ことを特徴とする記録装置。
【請求項２】
前記所定量は、前記カバー手段が開いたことをユーザが認知可能な第１所定量、または、前記カバー手段が開いたことと前記カバー手段の開く方向とをユーザが認知可能な第２所定量を含むことを特徴とする請求項１に記載の記録装置。
【請求項３】
前記カバー手段は、前記付勢手段の付勢力に抗して閉じられることを特徴とする請求項１または２に記載の記録装置。
【請求項４】
前記カバー手段は、ユーザが手を掛けることができる手掛かり部を備え、
前記手掛かり部は、前記カバー手段が閉じた状態のときに外部に露出せず、前記カバー手段が開いた状態のときに外部に露出する
ことを特徴とする請求項１から３のいずれか１項に記載の記録装置。
【請求項５】
前記カバー手段は、互いに隣接するとともに、互いに異なる方向に回動する２つのカバー部材により構成され、前記カバー手段が閉じた状態のときに、一方のカバー部材に設けられた前記手掛かり部が、他方のカバー部材により覆われて外部に露出しなくなることを特徴とする請求項４に記載の記録装置。
【請求項６】
前記ロック手段によるロックを解除する操作が可能な操作手段をさらに有することを特徴とする請求項１から５のいずれか１項に記載の記録装置。
【請求項７】
前記操作手段の操作が可能となるように制御する制御手段をさらに有することを特徴とする請求項６に記載の記録装置。
【請求項８】
前記制御手段は、前記搬送経路において前記記録媒体に搬送異常が生じたタイミングおよび前記搬送経路を清掃するタイミングの少なくともどちらか一方のタイミングで、前記操作手段の操作を可能とすることを特徴とする請求項７に記載の記録装置。
【請求項９】
前記操作手段は、タッチパネルであって、
前記制御手段は、前記ロック手段のロックを解除するための操作子を前記操作手段に表示する
ことを特徴とする請求項７または８に記載の記録装置。
【請求項１０】
前記記録手段を保護する保護手段をさらに有し、
前記カバー手段のロックが解除されるときには、前記保護手段が前記記録手段を保護している
ことを特徴とする請求項１から９のいずれか１項に記載の記録装置。
【発明の詳細な説明】
【技術分野】
【０００１】
本発明は、搬送される記録媒体に対して記録を行う記録装置に関する。
【背景技術】
【０００２】
特許文献１には、記録装置において搬送する記録媒体が詰まる、所謂、ジャムが発生すると、記録ヘッドを保護した後に、ジャム解消のための処理（ジャム処理）用のカバーを開放可能な状態とする技術が開示されている。即ち、特許文献１の技術では、ジャムの発生を検知すると、ジャムが発生した搬送経路を覆うジャム処理用のカバーのロックが解除され、当該カバーを開くことが可能な状態となる。
【先行技術文献】
【特許文献】
【０００３】
【特許文献１】特開２０１０−１４９３０８号公報
【発明の概要】
【発明が解決しようとする課題】
【０００４】
しかしながら、特許文献１に開示された技術では、カバーのロックが解除されても、ユーザにロックが解除された旨の情報などを提示するなどの処理を行っていない。このため、ユーザは、そのタイミングでどのカバーのロックが解除されたのかを認知することが困難となっていた。
【０００５】
本発明は、上記課題に鑑みてなされたものであり、ロックが解除されたカバーをユーザが容易に認知することができる記録装置を提供することを目的とする。
【課題を解決するための手段】
【０００６】
上記目的を達成するために、本発明は、搬送経路に沿って記録媒体を搬送する搬送手段と、前記搬送手段により搬送される記録媒体に対して記録する記録手段と、開閉可能に設けられ、開いた状態のときに前記搬送経路を外部に露出するとともに、閉じた状態のときに前記搬送経路を外部から遮蔽するカバー手段と、前記カバー手段を閉じた状態にロックするロック手段とを有する記録装置であって、前記カバー手段は、前記カバー手段を開く方向に付勢する付勢手段を備え、前記ロック手段のロックが解除されると前記付勢手段の付勢力によって所定量だけ開くことを特徴とする。
【発明の効果】
【０００７】
本発明によれば、ロックが解除されたカバーをユーザが容易に認知することができるようになる。
【図面の簡単な説明】
【０００８】
【図１】記録装置が待機状態にあるときの図である。
【図２】記録装置の制御構成図である。
【図３】記録装置が記録状態にあるときの図である。
【図４】（ａ）〜（ｃ）は、第１カセットから給送された記録媒体の搬送経路図である。
【図５】（ａ）〜（ｃ）は、第２カセットから給送された記録媒体の搬送経路図である。
【図６】（ａ）〜（ｄ）は、記録媒体の裏面に記録動作を行う場合の搬送経路図である。
【図７】記録装置がメンテナンス状態にあるときの図である。
【図８】駆動ローラとモータとの対応関係を示す図である。
【図９】（ａ）〜（ｃ）は、カバーの開閉状態を示す図である。
【図１０】第１カバーおよび第２カバーの搬送経路に対する位置関係を示す図である。
【図１１】（ａ）（ｂ）は、ロック部のロック、アンロック時の動作を示す図である。
【図１２】解消処理の詳細な処理内容を示すフローチャートである。
【図１３】操作パネルの表示例を示す図である。
【発明を実施するための形態】
【０００９】
図１は、本実施形態で使用するインクジェット記録装置１（以下、記録装置１）の内部構成図である。図において、ｘ方向は水平方向、ｙ方向（紙面垂直方向）は後述する記録ヘッド８において吐出口が配列される方向、ｚ方向は鉛直方向をそれぞれ示す。
【００１０】
記録装置１は、プリント部２とスキャナ部３を備える複合機であり、記録動作と読取動作に関する様々な処理を、プリント部２とスキャナ部３で個別にあるいは連動して実行することができる。スキャナ部３は、ＡＤＦ（オートドキュメントフィーダ）とＦＢＳ（フラットベッドスキャナ）を備えており、ＡＤＦで自動給紙される原稿の読み取りと、ユーザによってＦＢＳの原稿台に置かれた原稿の読み取り（スキャン）を行うことができる。なお、本実施形態はプリント部２とスキャナ部３を併せ持った複合機であるが、スキャナ部３を備えない形態であってもよい。図１は、記録装置１が記録動作も読取動作も行っていない待機状態にあるときを示す。
【００１１】
プリント部２において、筐体４の鉛直方向下方の底部には、記録媒体（カットシート）Ｓを収容するための第１カセット５Ａと第２カセット５Ｂが着脱可能に設置されている。第１カセット５ＡにはＡ４サイズまでの比較的小さな記録媒体が、第２カセット５ＢにはＡ３サイズまでの比較的大きな記録媒体が、平積みに収容されている。第１カセット５Ａ近傍には、収容されている記録媒体を１枚ずつ分離して給送するための第１給送ユニット６Ａが設けられている。同様に、第２カセット５Ｂ近傍には、第２給送ユニット６Ｂが設けられている。記録動作が行われる際にはいずれか一方のカセットから選択的に記録媒体Ｓが給送される。
【００１２】
搬送ローラ７、排出ローラ１２、ピンチローラ７ａ、拍車７ｂ、ガイド１８、インナーガイド１９およびフラッパ１１は、記録媒体Ｓを所定の方向に導くための搬送機構（搬送手段）である。搬送ローラ７は、記録ヘッド８（プラテン９）の上流側および下流側に配され、搬送モータによって駆動される駆動ローラである。ピンチローラ７ａは、搬送ローラ７と共に記録媒体Ｓをニップして回転する従動ローラである。排出ローラ１２は、搬送ローラ７の下流側に配され、排出モータによって駆動される駆動ローラである。拍車７ｂは、記録ヘッド８（プラテン９）の下流側に配される搬送ローラ７及び排出ローラ１２と共に記録媒体Ｓを挟持して搬送する。
【００１３】
記録装置１には、上記駆動ローラを駆動するための複数のモータが設けられており、上記駆動ローラのぞれぞれは、複数のモータのうちの１つに接続されている。モータと駆動ローラとの対応関係については後に詳しく説明する。
【００１４】
ガイド１８は、記録媒体Ｓの搬送経路に設けられ、記録媒体Ｓを所定の方向に案内する。インナーガイド１９は、ｙ方向に延在する部材で湾曲した側面を有し、当該側面に沿って記録媒体Ｓを案内する。フラッパ１１は、両面記録動作の際に、記録媒体Ｓが搬送される方向を切り替えるための部材である。排出トレイ１３は、記録動作が完了し排出ローラ１２によって排出された記録媒体Ｓを積載保持するためのトレイである。
【００１５】
本実施形態の記録ヘッド８（記録手段）は、フルラインタイプのカラーインクジェット記録ヘッドであり、記録データに従ってインクを吐出する吐出口が、図１におけるｙ方向に沿って記録媒体Ｓの幅に相当する分だけ複数配列されている。記録ヘッド８が待機位置にあるとき、記録ヘッド８の吐出口面８ａは、図１のように鉛直下方を向きキャップユニット１０によってキャップされている。記録動作を行う際は、後述するプリントコントローラ２０２によって、吐出口面８ａがプラテン９と対向するように記録ヘッド８の向きが変更される。プラテン９は、ｙ方向に延在する平板によって構成され、記録ヘッド８によって記録動作が行われる記録媒体Ｓを背面から支持する。記録ヘッド８の待機位置から記録位置への移動については、後に詳しく説明する。
【００１６】
インクタンクユニット１４は、記録ヘッド８へ供給される４色のインクをそれぞれ貯留する。インク供給ユニット１５は、インクタンクユニット１４と記録ヘッド８を接続する流路の途中に設けられ、記録ヘッド８内のインクの圧力及び流量を適切な範囲に調整する。本実施形態では循環型のインク供給系を採用しており、インク供給ユニット１５は記録ヘッド８へ供給されるインクの圧力と記録ヘッド８から回収されるインクの流量を適切な範囲に調整する。
【００１７】
メンテナンスユニット１６は、キャップユニット１０（保護手段）とワイピングユニット１７を備え、所定のタイミングにこれらを作動させて、記録ヘッド８に対するメンテナンス動作を行う。メンテナンス動作については後に詳しく説明する。
【００１８】
図２は、記録装置１における制御構成を示すブロック図である。制御構成は、主にプリント部２を統括するプリントエンジンユニット２００と、スキャナ部３を統括するスキャナエンジンユニット３００と、記録装置１全体を統括するコントローラユニット１００によって構成されている。プリントコントローラ２０２は、コントローラユニット１００のメインコントローラ１０１の指示に従ってプリントエンジンユニット２００の各種機構を制御する。スキャナエンジンユニット３００の各種機構は、コントローラユニット１００のメインコントローラ１０１によって制御される。以下に制御構成の詳細について説明する。
【００１９】
コントローラユニット１００において、ＣＰＵにより構成されるメインコントローラ１０１は、ＲＯＭ１０７に記憶されているプログラムや各種パラメータに従って、ＲＡＭ１０６をワークエリアとしながら記録装置１全体を制御する。例えば、ホストＩ／Ｆ１０２またはワイヤレスＩ／Ｆ１０３を介してホスト装置４００から印刷ジョブが入力されると、メインコントローラ１０１の指示に従って、画像処理部１０８が受信した画像データに対して所定の画像処理を施す。そして、メインコントローラ１０１はプリントエンジンＩ／Ｆ１０５を介して、画像処理を施した画像データをプリントエンジンユニット２００へ送信する。
【００２０】
なお、記録装置１は無線通信や有線通信を介してホスト装置４００から画像データを取得しても良いし、記録装置１に接続された外部記憶装置（ＵＳＢメモリ等）から画像データを取得しても良い。無線通信や有線通信に利用される通信方式は限定されない。例えば、無線通信に利用される通信方式として、Ｗｉ−Ｆｉ（Ｗｉｒｅｌｅｓｓ  Ｆｉｄｅｌｉｔｙ）（登録商標）やＢｌｕｅｔｏｏｔｈ（登録商標）が適用可能である。また、有線通信に利用される通信方式としては、ＵＳＢ（Ｕｎｉｖｅｒｓａｌ  Ｓｅｒｉａｌ  Ｂｕｓ）等が適用可能である。また、例えばホスト装置４００から読取コマンドが入力されると、メインコントローラ１０１は、スキャナエンジンＩ／Ｆ１０９を介してこのコマンドをスキャナ部３に送信する。
【００２１】
操作パネル１０４（操作手段）は、ユーザが記録装置１に対して入出力を行うための機構である。ユーザは、操作パネル１０４を介してコピーやスキャン等の動作を指示したり、印刷モードを設定したり、記録装置１の情報を認識したりすることができる。
【００２２】
プリントエンジンユニット２００において、ＣＰＵにより構成されるプリントコントローラ２０２は、ＲＯＭ２０３に記憶されているプログラムや各種パラメータに従って、ＲＡＭ２０４をワークエリアとしながら、プリント部２が備える各種機構を制御する。コントローラＩ／Ｆ２０１を介して各種コマンドや画像データが受信されると、プリントコントローラ２０２は、これを一旦ＲＡＭ２０４に保存する。記録ヘッド８が記録動作に利用できるように、プリントコントローラ２０２は画像処理コントローラ２０５に、保存した画像データを記録データへ変換させる。記録データが生成されると、プリントコントローラ２０２は、ヘッドＩ／Ｆ２０６を介して記録ヘッド８に記録データに基づく記録動作を実行させる。この際、プリントコントローラ２０２は、搬送制御部２０７を介して図１に示す給送ユニット６Ａ、６Ｂ、搬送ローラ７、排出ローラ１２、フラッパ１１を駆動して、記録媒体Ｓを搬送する。
【００２３】
搬送制御部２０７は、記録媒体Ｓの搬送状態を検知する検知部２１２と、複数の駆動ローラを駆動する駆動部２１１とに接続されており、検知部２１２から得られる検知結果に基づいて駆動部２１１を用いて記録媒体Ｓの搬送を制御する。検知部２１２は、記録媒体Ｓの有無を検知する検知部材２０と駆動ローラの回転量を検出するエンコーダ２１とを有している。
【００２４】
搬送制御部２０７によって記録媒体Ｓが搬送される過程で、プリントコントローラ２０２の指示に従って、記録媒体Ｓの搬送動作に連動して記録ヘッド８による記録動作が実行され、印刷処理が行われる。
【００２５】
ヘッドキャリッジ制御部２０８は、記録装置１のメンテナンス状態や記録状態といった動作状態に応じて記録ヘッド８の向きや位置を変更する。インク供給制御部２０９は、記録ヘッド８へ供給されるインクの圧力が適切な範囲に収まるように、インク供給ユニット１５を制御する。メンテナンス制御部２１０は、記録ヘッド８に対するメンテナンス動作を行う際に、メンテナンスユニット１６におけるキャップユニット１０やワイピングユニット１７の動作を制御する。ロック制御部２１３は、プリントコントローラ２０２の指示に基づいて、ロック部９２、９６（後述する。）を制御して、カバー９０（後述する。）の開閉を制御する。
【００２６】
スキャナエンジンユニット３００においては、メインコントローラ１０１が、ＲＯＭ１０７に記憶されているプログラムや各種パラメータに従って、ＲＡＭ１０６をワークエリアとしながら、スキャナコントローラ３０２のハードウェアリソースを制御する。これにより、スキャナ部３が備える各種機構は制御される。例えばコントローラＩ／Ｆ３０１を介してメインコントローラ１０１がスキャナコントローラ３０２内のハードウェアリソースを制御することにより、ユーザによってＡＤＦに搭載された原稿を、搬送制御部３０４を介して搬送し、センサ３０５によって読み取る。そして、スキャナコントローラ３０２は読み取った画像データをＲＡＭ３０３に保存する。なお、プリントコントローラ２０２は、上述のように取得された画像データを記録データに変換することで、記録ヘッド８に、スキャナコントローラ３０２で読み取った画像データに基づく記録動作を実行させることが可能である。
【００２７】
図３は、記録装置１が記録状態にあるときを示す。図１に示した待機状態と比較すると、キャップユニット１０が記録ヘッド８の吐出口面８ａから離間し、吐出口面８ａがプラテン９と対向している。本実施形態において、プラテン９の平面は水平方向に対して約４５度傾いており、記録位置における記録ヘッド８の吐出口面８ａも、プラテン９との距離が一定に維持されるように水平方向に対して約４５度傾いている。
【００２８】
記録ヘッド８を図１に示す待機位置から図３に示す記録位置に移動する際、プリントコントローラ２０２は、メンテナンス制御部２１０を用いて、キャップユニット１０を図３に示す退避位置まで降下させる。これにより、記録ヘッド８の吐出口面８ａは、キャップユニット１０のキャップ部材（不図示）と離間する。その後、プリントコントローラ２０２は、ヘッドキャリッジ制御部２０８を用いて記録ヘッド８の鉛直方向の高さを調整しながら４５度回転させ、吐出口面８ａをプラテン９と対向させる。記録動作が完了し、記録ヘッド８が記録位置から待機位置に移動する際は、プリントコントローラ２０２によって上記と逆の工程が行われる。
【００２９】
次に、プリント部２における記録媒体Ｓの搬送経路について説明する。記録コマンドが入力されると、プリントコントローラ２０２は、まず、メンテナンス制御部２１０およびヘッドキャリッジ制御部２０８を用いて、記録ヘッド８を図３に示す記録位置に移動する。その後、プリントコントローラ２０２は搬送制御部２０７を用い、記録コマンドに従って第１給送ユニット６Ａおよび第２給送ユニット６Ｂのいずれかを駆動し、記録媒体Ｓを給送する。
【００３０】
図４（ａ）〜（ｃ）は、第１カセット５Ａに収容されているＡ４サイズの記録媒体Ｓが給送されるときの搬送経路を示す図である。第１カセット５Ａ内の１番上に積載された記録媒体Ｓは、第１給送ユニット６Ａによって２枚目以降の記録媒体から分離され、搬送ローラ７とピンチローラ７ａにニップされながら、プラテン９と記録ヘッド８の間の記録領域Ｐに向けて搬送される。図４（ａ）は、記録媒体Ｓの先端が記録領域Ｐに到達する直前の搬送状態を示す。記録媒体Ｓの進行方向は、第１給送ユニット６Ａに給送されて記録領域Ｐに到達する間に、水平方向（ｘ方向）から、水平方向に対して約４５度傾いた方向に変更される。
【００３１】
記録領域Ｐでは、記録ヘッド８に設けられた複数の吐出口から記録媒体Ｓに向けてインクが吐出される。インクが付与される領域の記録媒体Ｓは、プラテン９によってその背面が支持されており、吐出口面８ａと記録媒体Ｓの距離が一定に保たれている。インクが付与された後の記録媒体Ｓは、搬送ローラ７と拍車７ｂに案内されながら、先端が右に傾いているフラッパ１１の左側を通り、ガイド１８に沿って記録装置１の鉛直方向上方へ搬送される。図４（ｂ）は、記録媒体Ｓの先端が記録領域Ｐを通過して鉛直方向上方に搬送される状態を示す。記録媒体Ｓの進行方向は、水平方向に対し約４５度傾いた記録領域Ｐの位置から、搬送ローラ７と拍車７ｂによって鉛直方向上方に変更されている。
【００３２】
記録媒体Ｓは、鉛直方向上方に搬送された後、排出ローラ１２と拍車７ｂによって排出トレイ１３に排出される。図４（ｃ）は、記録媒体Ｓの先端が排出ローラ１２を通過して排出トレイ１３に排出される状態を示す。排出された記録媒体Ｓは、記録ヘッド８によって画像が記録された面を下にした状態で、排出トレイ１３上に保持される。
【００３３】
図５（ａ）〜（ｃ）は、第２カセット５Ｂに収容されているＡ３サイズの記録媒体Ｓが給送されるときの搬送経路を示す図である。第２カセット５Ｂ内の１番上に積載された記録媒体Ｓは、第２給送ユニット６Ｂによって２枚目以降の記録媒体から分離され、搬送ローラ７とピンチローラ７ａにニップされながら、プラテン９と記録ヘッド８の間の記録領域Ｐに向けて搬送される。
【００３４】
図５（ａ）は、記録媒体Ｓの先端が記録領域Ｐに到達する直前の搬送状態を示す。第２給送ユニット６Ｂに給送されて記録領域Ｐに到達するまでの搬送経路には、複数の搬送ローラ７とピンチローラ７ａおよびインナーガイド１９が配されることで、記録媒体ＳはＳ字上に湾曲されてプラテン９まで搬送される。
【００３５】
その後の搬送経路は、図４（ｂ）および（ｃ）で示したＡ４サイズの記録媒体Ｓの場合と同様である。図５（ｂ）は、記録媒体Ｓの先端が記録領域Ｐを通過して鉛直方向上方に搬送される状態を示す。図５（ｃ）は、記録媒体Ｓの先端が排出ローラ１２を通過して排出トレイ１３に排出される状態を示す。
【００３６】
図６（ａ）〜（ｄ）は、Ａ４サイズの記録媒体Ｓの裏面（第２面）に対して記録動作（両面記録）を行う場合の搬送経路を示す。両面記録を行う場合、第１面（表面）を記録した後に第２面（裏面）に記録動作を行う。第１面を記録する際の搬送工程は図４（ａ）〜（ｃ）と同様であるので、ここでは説明を省略する。以後、図４（ｃ）以後の搬送工程について説明する。
【００３７】
記録ヘッド８による第１面への記録動作が完了し、記録媒体Ｓの後端がフラッパ１１を通過すると、プリントコントローラ２０２は、搬送ローラ７を逆回転させて記録媒体Ｓを記録装置１の内部へ搬送する。この際、フラッパ１１は、不図示のアクチュエータによってその先端が左側に傾くように制御されるため、記録媒体Ｓの先端（第１面の記録動作における後端）はフラッパ１１の右側を通過して鉛直方向下方へ搬送される。図６（ａ）は、記録媒体Ｓの先端（第１面の記録動作における後端）が、フラッパ１１の右側を通過する状態を示す。
【００３８】
その後、記録媒体Ｓは、インナーガイド１９の湾曲した外周面に沿って搬送され、再び記録ヘッド８とプラテン９の間の記録領域Ｐに搬送される。この際、記録ヘッド８の吐出口面８ａに、記録媒体Ｓの第２面が対向する。図６（ｂ）は、第２面の記録動作のために、記録媒体Ｓの先端が記録領域Ｐに到達する直前の搬送状態を示す。
【００３９】
その後の搬送経路は、図４（ｂ）および（ｃ）で示した第１面記録の場合と同様である。図６（ｃ）は、記録媒体Ｓの先端が記録領域Ｐを通過して鉛直方向上方に搬送される状態を示す。この際、フラッパ１１は、不図示のアクチュエータにより先端が右側に傾いた位置に移動するように制御される。図６（ｄ）は、記録媒体Ｓの先端が排出ローラ１２を通過して排出トレイ１３に排出される状態を示す。
【００４０】
次に、記録ヘッド８に対するメンテナンス動作について説明する。図１でも説明したように、本実施形態のメンテナンスユニット１６は、キャップユニット１０とワイピングユニット１７とを備え、所定のタイミングにこれらを作動させてメンテナンス動作を行う。
【００４１】
図７は、記録装置１がメンテナンス状態のときの図である。記録ヘッド８を図１に示す待機位置から図７に示すメンテナンス位置に移動する際、プリントコントローラ２０２は、記録ヘッド８を鉛直方向において上方に移動させるとともにキャップユニット１０を鉛直方向下方に移動させる。そして、プリントコントローラ２０２は、ワイピングユニット１７を退避位置から図７における右方向に移動させる。その後、プリントコントローラ２０２は、記録ヘッド８を鉛直方向下方に移動させメンテナンス動作が可能なメンテナンス位置に移動させる。
【００４２】
一方、記録ヘッド８を図３に示す記録位置から図７に示すメンテナンス位置に移動する際、プリントコントローラ２０２は、記録ヘッド８を４５度回転させつつ鉛直方向上方に移動させる。そして、プリントコントローラ２０２は、ワイピングユニット１７を退避位置から右方向に移動させる。その後、プリントコントローラ２０２は、記録ヘッド８を鉛直方向下方に移動させて、メンテナンスユニット１６によるメンテナンス動作が可能なメンテナンス位置に移動させる。
【００４３】
図８は、記録装置１における複数のモータと駆動ローラとの対応関係を示す図である。第１給送モータ２２は、第１カセット５Ａから記録媒体Ｓを給送するための第１給送ユニット６Ａを駆動する。第２給送モータ２３は、第２カセット５Ｂから記録媒体Ｓを給送するための第２給送ユニット６Ｂを駆動する。第１搬送モータ２４は、第１給送ユニット６Ａにより給送された記録媒体Ｓを最初に搬送する第１中間ローラ７１Ａを駆動する。第２搬送モータ２５は、第２給送ユニット６Ｂにより給送された記録媒体Ｓを最初に搬送する第２中間ローラ７１Ｂを駆動する。
【００４４】
主搬送モータ２６は、プラテン９の上流側に配され主に記録中の記録媒体Ｓを搬送する主搬送ローラ７０を駆動する。また主搬送モータ２６は、プラテン９の下流側に配され主搬送ローラ７０により搬送される記録媒体Ｓを更に下流側に搬送する２つの搬送ローラ７を駆動する。
【００４５】
第３搬送モータ２７は、第１面に記録が行われた記録媒体Ｓを下方に搬送する２つの搬送ローラ７を駆動する。また第３搬送モータ２７は、インナーガイド１９に沿って配され、第２中間ローラ７１Ｂによって搬送された記録媒体Ｓ、または第１面に記録が行われ表裏が反転された記録媒体Ｓを記録ヘッド８に向けて搬送する２つの搬送ローラ７を駆動する。
【００４６】
第４搬送モータ２８は、記録動作が行われた後の記録媒体Ｓを上方または下方に搬送する２つの搬送ローラ７を駆動する。排出モータ２９は、記録が行われた記録媒体Ｓを排出トレイ１３へ排出する排出ローラ１２を駆動する。このように、２つの給送モータ２２、２３、５つの搬送モータ２４〜２８、および排出モータ２９のそれぞれは、１つ以上の駆動ローラに対応付けられている。
【００４７】
一方、搬送経路に沿った８箇所には、記録媒体Ｓの有無を検知するための検知部材２０が配されている。個々の検知部材２０は搬送経路を挟んで配置されたセンサとミラーとによって構成され、搬送経路の一方側に発光部と受光部とを有するセンサが配置され、搬送経路の他方側であってセンサと対向する位置にミラーが配置される。センサの発光部から発せられた光がミラーで反射し受光部がこれを検知したか否かによって、記録媒体Ｓの有無すなわち先端または後端の通過を判別する。
【００４８】
搬送制御部２０７は、複数の検知部材２０それぞれの検知結果および各駆動ローラの回転量を検知するエンコーダの出力値に基づいて、給送モータ２２、２３、搬送モータ２４〜２８、および排出モータ２９を個別に駆動し、装置全体の搬送を制御する。
【００４９】
次に、ユーザによる搬送経路へのアクセスを可能とするためのカバーについて説明する。図９（ａ）は、カバー９０が閉じた状態を示す図であり、図９（ｂ）は、カバー９０が十分に開いた状態を示す図であり、図９（ｃ）は、第２カバー９０ｂが所定量だけ開いた状態を示す図である。また、図１０は、搬送経路におけるカバー９０の位置関係を示す図である。
【００５０】
カバー９０（カバー手段）は、記録装置１の側面１ａに設けられており、第１カバー９０ａおよび第２カバー９０ｂより構成されている。第１カバー９０ａおよび第２カバー９０ｂ（カバー部材）はそれぞれ、記録装置１に回動可能に設けられており、回動することで、搬送経路を装置外部（以下、単に「外部」と適宜に称する。）に露出する状態と、外部から遮蔽する状態とで変更することができる。即ち、第１カバー９０ａおよび第２カバー９０ｂの内面にはそれぞれ、搬送経路の外側の搬送面が形成されており、閉じた状態のときに拍車７ｂやインナーガイド１９などの構成と対向して搬送経路の一部を形成する（図１０参照）。
【００５１】
第１カバー９０ａ（他方のカバー部材）は、第２カバー９０ｂの上方側に配置されており、鉛直方向（ｚ方向）に延在する軸を中心軸として回動可能な構成となっている。第１カバー９０ａは、閉じた状態のときに付勢部材９３（図１１（ａ）（ｂ）参照）により矢印Ａ方向に付勢される。なお、付勢部材９３は、例えば、バネやゴムなどの弾性部材である。また、第１カバー９０ａは、ロック部９２（後述する。）により閉じた状態を維持する構成となっている。このため、第１カバー９０ａは、ロック部９２によるロックがなされると閉じた状態となり、搬送経路において第１カバー９０ａの内面により搬送面が形成された領域を外部から遮蔽する。また、ロック部９２によるロックが解除されると、付勢部材９３の付勢力によって矢印Ａ方向に回動して開いた状態となり、搬送経路において第１カバー９０ａの内面により搬送面が形成された領域を外部に露出する。なお、第１カバー９０ａを付勢する付勢部材９３は、閉じた状態のときに、第１カバー９０ａを開く方向に回動するだけの付勢力を備える。
【００５２】
第２カバー９０ｂ（一方のカバー部材）は、第１カバー９０ａの下方側に隣接して配置されており、鉛直方向と交差（直交）した水平方向（ｘ方向）に延在する軸を中心軸として回動可能な構成となっている。第２カバー９０ｂは、閉じた状態のときに付勢部材９３により矢印Ｂ方向に付勢される。また、第２カバー９０ｂは、ロック部９６により閉じた状態を維持する構成となっている。このため、第２カバー９０ｂは、ロック部９６によるロックがなされると閉じた状態となり、搬送経路において第２カバー９０ｂの内面により搬送面が形成された領域を外部から遮蔽する。また、ロック部９６によるロックが解除されると、付勢部材９３の付勢力によって矢印Ｂ方向に回動して所定量だけ開いた状態となり（図９（ｃ）参照）、搬送経路において第２カバー９０ｂの内面により搬送面が形成された領域を外部に露出する。なお、第２カバー９０ｂを付勢する付勢部材９３は、閉じた状態のときに、第２カバー９０ｂを開く方向に回動するだけの付勢力を備える。また、所定量は、具体的には、例えば、ユーザが、カバー９０が開いたことを認知可能な量（第１所定量）としてもよいし、ユーザが、カバー９０が開いたこととともに、開く方向が認知可能な量（第２所定量）としてもよい。
【００５３】
第２カバー９０ｂは閉じた状態のときに、閉じた状態の第１カバー９０ａと対向する面（上部の自由端に位置する面）に、ユーザが手を掛けることができる手掛かり部９４が形成されている（図９（ｂ）（ｃ）参照）。なお、この手掛かり部９４は、ユーザが手を掛けて第２カバー９０ｂを開閉操作し易くするための構成である。第１カバー９０ａおよび第２カバー９０ｂが閉じた状態（カバー９０が閉じた状態）のときには、手掛かり部９４は、記録装置１の外部に露出しておらず、ユーザが手を掛けることができない（図９（ａ）参照）。即ち、カバー９０が閉じた状態では、ユーザは、第１カバー９０ａおよび第２カバー９０ｂを開けることができないだけでなく、手掛かり部９４に手を掛けることすらできない。また、第２カバー９０ｂは、閉じた状態からロック部９６の解除によって所定量だけ開いた状態となった後に、ユーザが外部に露出した状態となった手掛かり部９４を利用して、さらに回動して概ね水平状態となるまで開かれる。
【００５４】
第２カバー９０ｂには、手差しトレイ９８が第２カバー９０ｂに対して開閉可能に設けられている。この手差しトレイ９８は、水平方向に延在する軸を中心軸として回動可能な構成となっている。そして、手差しトレイ９８は、外部に露出した手掛かり部９８ａを介してユーザによって開閉される。また、第２カバー９０ｂには、開口部（不図示）が設けられており、この開口部を介して、開いた状態の手差しトレイ９８に載置される記録媒体Ｓの先端が給送ローラ７２（図１０参照）まで挿入される。
【００５５】
次に、ロック部９２、９６について説明する。なお、第１カバー９０ａの閉じた状態を維持するためのロック部９２および第２カバー９０ｂの閉じた状態を維持するためのロック部９６は、同様の構成となっている。このため、以下の説明では、ロック部９２について説明するものとし、ロック部９６についてはロック部９２との相違点を説明することとする。図１１は、ロック部９２の概略構成図である。
【００５６】
ロック部９２（ロック手段）は、記録装置１側（筐体４）に設けられたロック部材７４と、第１カバー９０ａに設けられ、ロック部材７４と係合可能な係合部材７６とを備えている。即ち、ロック部９２では、係合部材７６は、第１カバー９０ａの自由端部９０ａａ（図９（ｂ）参照）に設けられ、ロック部材７４は、閉じた状態にある第１カバー９０ａの自由端部９０ａａと対向する記録装置１側に設けられる。
【００５７】
また、ロック部９６では、係合部材７６は、第２カバー９０ｂの側部９０ｂａ（図９（ｂ）参照）の自由端側にそれぞれ設けられ、ロック部材７４は、閉じた状態にある第２カバー９０ｂの側部９０ｂａと対向する記録装置１側に設けられる。なお、ロック部９６については、第２カバー９０ｂの２つの側部９０ｂａと対応するよう設けられているが、どちらか一方の側部９０ｂａと対応するように設けられてもよい。
【００５８】
ロック部材７４は、略Ｌ字形状に形成されるとともに回動可能に配置される回動部７８と、回動部７８を回動するための駆動部８０とを備えている。回動部７８は、Ｌ字形状の屈曲部において支軸８２を中心に回動可能に構成されている。そして、一方の端部７８ａに係合部材７６が係合可能となっており、他方の端部７８ｂ側に駆動部８０のプランジャ８０ａ（後述する。）が接続されている。
【００５９】
駆動部８０は、通電によりプランジャ８０ａを移動可能なソレノイドであり、通電によってプランジャ８０ａが矢印Ｃ方向に移動することで、回動部７８を矢印Ｄ方向に回動する。通電が解除されると戻りバネ（不図示）などの付勢力によって、プランジャ８０ａが矢印Ｅ方向に移動し、これにより回動部７８が矢印Ｆ方向に回動する。また、駆動部８０は、ロック制御部２１３によって所定時間だけ通電されてプランジャ８０ａを矢印Ｃ方向に移動させる。従って、所定時間が経過すると、プランジャ８０ａは戻りバネによって矢印Ｅ方向に移動し、回動部７８が矢印Ｆ方向に回動して、回動部７８が初期位置（図１１（ａ）に示す位置である。）に戻る。
【００６０】
係合部材７６は、回動部７８の一方の端部７８ａに係止される凸部７６ａが設けられている。凸部７６ａは、一方の端部７８ａに係止される係止面７６ａａを備えている。また、凸部７６ａは、第１カバー９０ａが開いた状態から閉じた状態に移動する際の動きによって、初期位置にある回動部７８を矢印Ｄ方向に回動させることが可能な斜面７６ａｂを備えている。
【００６１】
従って、ロック部９２による第１カバー９０ａのロック時には、まず、ユーザが付勢部材９３の付勢力に抗して、開いた状態から閉じた状態に第１カバー９０ａを回動する。このとき、初期位置にあった回動部７８の一方の端部７８ａが凸部７６ａの斜面７６ａｂに当接し、第１カバー９０ａがさらに回動すると、斜面７６ａｂが駆動部８０の戻りバネの付勢力に抗して回動部７８を矢印Ｄ方向に回動する。その後、第１カバー９０ａのさらなる回動に伴って、一方の端部７８ａが斜面７６ａｂを超えると、戻りバネの付勢力によって回動部７８が矢印Ｆ方向に回動し、係止面７６ａａが一方の端部７８ａに係止される。そして、ロック部９２により、第１カバー９０ａは閉じた状態が維持されることとなる。なお、ロック部９２により第１カバー９０ａが閉じた状態を維持しているときには、第１カバー９０ａは付勢部材９３（付勢手段）によって付勢された状態となっている。
【００６２】
また、ロック部９２によるアンロック（ロック解除）時には、駆動部８０によって回動部７８が矢印Ｄ方向に回動して、係止面７６ａａと一方の端部７８ａとの係合関係が解消されて、付勢部材９３の付勢力によって第１カバー９０ａが開く（図１１（ｂ）参照）。
【００６３】
なお、こうしたロック部９２の構成については、上記した構成に限定されるものではなく、公知の技術を用いてもよい。また、ロック部９２およびロック部９６の構成を同様の構成としたが、異なる構成のロック機構としてもよい。
【００６４】
上記したように、記録装置１は検知部２１２を備えており、この検知部２１２によって、記録動作中の記録媒体Ｓの搬送異常を検知する。なお、本願明細書では、例えば、搬送経路内で記録媒体Ｓが詰まるジャム、搬送ローラが記録媒体Ｓ上で滑るスリップなど、搬送されるべき記録媒体Ｓが正常に搬送されない状態を搬送異常と称することとする。また、記録装置１は、正面の上方側に操作パネル１０４が配置されており、ユーザは、操作パネル１０４に表示された情報を確認するとともに、表示された操作子などを操作することとなる。即ち、本実施形態では、操作パネル１０４はタッチパネルである。
【００６５】
以上の構成において、記録動作の際に検知部２１２によってジャムなどの搬送異常が検知されると、搬送異常を解消する解消処理が開始される。なお、解消処理については、プリントコントローラ２０２が、ＲＯＭに記憶されているプログラムに従って、ＲＡＭ２０４をワークエリアとして使用しながら実行するものである。ここで、解消処理について、図１２および図１３を参照しながら詳細に説明する。図１２は、解消処理の詳細な処理内容を示すフローチャートである。図１３（ａ）（ｂ）は、解消処理の際に操作パネル１０４に表示される表示内容を示す説明図である。
【００６６】
この解消処理が開始されると、まず、駆動ローラの駆動を停止する（ステップＳ１２０２）。即ち、ステップＳ１２０２では、検知部２１２の検知結果に基づいて、プリントコントローラ２０２において搬送異常となった記録媒体Ｓの位置を検出し、検出した位置よりも上流側に位置する駆動ローラの駆動を搬送制御部２０７によって停止する。なお、このとき、記録動作中であれば記録ヘッド８による記録動作も中止することとなる。また、駆動ローラとは、例えば、給送モータ２２、２３、搬送モータ２４、２５、２６、２７、２８および排出モータ２９となる。
【００６７】
次に、前処理を実行する（ステップＳ１２０４）。即ち、ステップＳ１２０４では、ヘッドキャリッジ制御部２０８によって記録ヘッド８を記録位置から待機位置まで移動し、メンテナンス制御部２１０によって吐出口面８ａをキャップユニット１０によりキャッピングする。また、搬送異常となった記録媒体Ｓよりも下流側に位置する記録媒体Ｓを搬送ローラ７により搬送する。なお、ステップＳ１２０４については、ステップＳ１２０２と並行して実行するようにしてもよい。
【００６８】
その後、搬送異常に関する情報およびカバー９０の操作ボタンを操作パネル１０４に表示する（ステップＳ１２０６）。即ち、ステップＳ１２０６では、まず、搬送異常が発生したとの情報を、コントローラＩ／Ｆ２０１を介してメインコントローラ１０１に出力する。その後、メインコントローラ１０１により、操作パネル１０４に、例えば、搬送異常に関する情報として、搬送異常が発生した旨の通知とともに、図１３（ａ）のように、搬送異常が生じた位置を表示する。さらに、操作パネル１０４に、カバー９０の操作ボタンとして、カバー９０を開くためのボタン１０４ａ（操作子）を表示する。なお、図１３（ａ）では、搬送異常が発生した位置を表示する表示領域内に文字が示されているが、実際には、記録装置１の画像あるいは記録装置１を模式的に示す図などを用いて、搬送異常が発生した位置が明示されることとなる。即ち、本実施形態では、メインコントローラ１０１が、操作パネル１０４においてロック部９２、９６でのロックを解除する操作が可能となるように制御する制御手段として機能している。
【００６９】
そして、カバー９０を開けるか否かの判断を行う（ステップＳ１２０８）。即ち、ステップＳ１２０８では、メインコントローラ１０１において、操作パネル１０４に表示されたボタン１０４ａが選択されたか否かの判断を行う。ステップＳ１２０８において、ボタン１０４ａが選択されていない、つまり、カバー９０を開けると選択されていないと判断されると、再度ステップＳ１２０８に戻る。即ち、本実施形態では、ボタン１０４ａが選択されるまで、ステップＳ１２０８の処理が繰り返し実行されることとなる。また、ステップＳ１２０８において、ボタン１０４ａが選択された、つまり、カバー９０を開けると判断されると、ロック部９２、９６によるロックを解除して、カバー９０を開ける（ステップＳ１２１０）。
【００７０】
ボタン１０４ａが選択されると、ボタン１０４ａが選択されたとの情報がプリントコントローラ２０２に出力される。従って、ステップＳ１２１０では、プリントコントローラ２０２によるロック制御部２１３の制御によって、ロック部９２、９６の駆動部８０に通電し、ロック部９２による第１カバー９０ａおよびロック部９６による第２カバー９０ｂのロックを解除する。
【００７１】
これにより、第１カバー９０ａは付勢部材９３の付勢力によって矢印Ａ方向に回動し、第２カバー９０ｂは付勢部材９３の付勢力によって矢印Ｂ方向に回動して、カバー９０が記録装置１の側面１ａから突出した状態となる（図９（ｃ）参照）。このため、ユーザは、カバー９０について、ロックが解除されて開くことが可能な状態であることを容易に認知することができるようになる。また、付勢部材９３により第１カバー９０ａ、第２カバー９０ｂが開く量によっては、第１カバー９０ａ、第２カバー９０ｂが開く方向をユーザが認知することができ、これにより、容易にカバー９０を開くことができるようになる。
【００７２】
なお、ロック部９２、９６は、同時にロックを解除するようにしてもよいし、一方のロックが解除された後に他方のロックが解除されるようにしてもよい。また、ボタン１０４ａは、例えば、ユーザにより選択されると操作パネル１０４から削除される。
【００７３】
また、操作パネル１０４に、ユーザが実行すべき具体的な処理内容を表示する（ステップＳ１２１２）。即ち、ステップＳ１２１２では、図１３（ｂ）のように、具体的な処理内容を、図、画像あるいは文字などによって表示する。なお、こうして表示された表示内容は、表示領域において必要に応じてスクロール可能となっている。この場合、前の手順ボタンおよび後の手順ボタンなどが表示され、ユーザによりこれらのボタンが選択されると、表示領域に表示された表示内容が前画面あるいは後画面にスクロールすることとなる図１３（ｂ）参照）。なお、図１３（ｂ）には、具体的な処理内容を表示する表示領域内に文字が示されているが、実際には、記録装置１の画像あるいは記録装置１を模式的に示す図などが文字とともに表示される。なお、文字については表示することなく、動作図などを組み合わせて表示するようにしてもよい。また、このステップＳ１２１２については、ステップＳ１２１０の前に実行してもよいし、ステップＳ１２１０と並行して実行するようにしてもよい。
【００７４】
次に、ユーザによる搬送を解消するための処理が終了したか否かの判断を行う（ステップＳ１２１４）。なお、記録装置１では、カバー９０のほかに、例えば、記録ヘッド８の交換やインクタンクの交換などの際に開閉されるフロントカバー９１などが設けられており、こうした全てのカバーに対してその開閉を検知する検知部（不図示）が設けられている。また、搬送経路を構成するインナーガイド１９などは、搬送異常が生じた記録媒体Ｓを除去する際などに、移動することが可能な構成となっており、こうした全てのガイド類に対して、所定位置に位置しているか否かを検知する検知部（不図示）が設けられている。従って、ステップＳ１２１４では、プリントコントローラ２０２において、こうした検知部における検知結果に基づいて、全てのカバーが閉められ、かつ、全てのガイドがそれぞれ所定位置に位置しているか否かを判断することとなる。
【００７５】
ステップＳ１２１４において、ユーザによる処理が終了していない、つまり、全てのカバーが閉められ、かつ、全てのガイドがそれぞれ所定位置に位置していないと判断されると、再度ステップＳ１２１４の処理を行う。また、ステップＳ１２１４において、ユーザによる処理が終了した、つまり、全てのカバーが閉められ、かつ、全てのガイドがそれぞれ所定位置に位置していると判断されると、搬送経路内に記録媒体Ｓがあるか否かを判断する（ステップＳ１２１６）。即ち、ステップＳ１２１６では、プリントコントローラ２０２において、検知部材２０により搬送経路内に記録媒体Ｓが存在するか否かを判断することとなる。
【００７６】
ステップＳ１２１６において、記録媒体Ｓがあると判断されると、ジャムが発生していると判断して、ステップＳ１２０６に戻り以降の処理を実行する。また、ステップＳ１２１６において、記録媒体Ｓがないと判断されると、搬送制御部２０７により搬送系の初期化を行い（ステップＳ１２１８）、再度搬送経路内に記録媒体Ｓがあるか否かを判断する（ステップＳ１２２０）。即ち、搬送異常の発生によって駆動モータなどは強制的に停止されている。このため、ステップＳ１２１８では、駆動ローラに対応するエンコーダのスリット数の初期化など、搬送系の初期化を行うこととなる。また、ステップＳ１２２０では、搬送系の初期化によって、搬送経路内に記録媒体Ｓが位置してないかを判断することとなる。なお、ステップＳ１２２０の具体的な処理内容は、ステップＳ１２１６と同様となる。
【００７７】
ステップＳ１２２０において、記録媒体Ｓがあると判断されると、ステップＳ１２０６に進み、搬送異常が解消されていない旨を操作パネル１０４に表示する。また、ステップＳ１２２０において、記録媒体Ｓがないと判断されると、この解消処理を終了する。
【００７８】
以上において説明したように、記録装置１では、搬送異常などの際に開き、ユーザの搬送経路へのアクセスを可能とするカバー９０を、第１カバー９０ａと第２カバー９０ｂとにより構成するようにした。第１カバー９０ａには、ユーザが手を掛ける構成が設けられておらず、ロック部９２によりロックされると閉じた状態が維持され、アンロックされると付勢部材９３の付勢力によって回動して開いた状態となるようにした。また、第２カバー９０ｂには、第１カバー９０ａとともに閉じた状態のときに外部に露出せず、かつ、開いた状態のときに外部に露出する手掛かり部９４を設けるようにした。そして、第２カバー９０ｂは、ロック部９６によりロックされると閉じた状態が維持され、アンロックされると付勢部材９３の付勢力によって所定量だけ回動して開いた状態となるようにした。さらに、記録装置１では、搬送異常を検知すると、操作パネル１０４にカバー９０を開けるためのボタン１０４ａが表示され、ユーザによってボタン１０４ａが選択されると、ロック部９２、９６によってアンロックしてカバー９０が開くようにした。
【００７９】
これにより、記録装置１によれば、ロック部９２、９６によってカバー９０のロックが解除されると、付勢部材９３の付勢力により第１カバー９０ａ、第２カバー９０ｂが開き、記録装置１の側面１ａから第１カバー９０ａ、第２カバー９０ｂが突出するようになる。このため、ユーザは、カバー９０のロックが解除され、第１カバー９０ａ、第２カバー９０ｂを開くことができる状態であることを認知することができるようになる。従って、記録装置１では、単に、カバーのロックが解除される特許文献１に開示された技術と比較して、ユーザは、開くべきカバーを認知することができるようになり、ロックされているカバーを誤って開けてしまうことがなくなる。
【００８０】
また、ロックが解除された第１カバー９０ａ、第２カバー９０ｂは回動して所定量だけ開くので、第１カバー９０ａ、第２カバー９０ｂの開け方（開く方向）が分かるようになる。これにより、ユーザによる操作性が向上し、作業に習熟していないユーザであっても容易に、かつ、速やかにカバー９０を開けることができるようになる。
【００８１】
仮に、ユーザが誤ってロックされたカバー９０を開けようとしても、カバー９０に手を掛けることができないため、ユーザがカバー９０を保持して回動することが非常に困難となる。特許文献１に開示された技術では、カバーに設けられた手掛かり部が外部に常時露出している。このため、特許文献１に開示された技術では、ユーザが誤ってロックされたカバーを開けようとすると、手掛かり部、ロック機構およびカバーの移動機構などに負荷がかかり、カバーが破損する虞がある。これに対して記録装置１では、手掛かり部９４が外部に露出しておらず、カバー９０を回動することが困難な構成となっているため、ユーザが誤ってカバー９０を開けることが防止される。すなわち、手掛かり部９４およびロック部９２、９６などに大きな負荷がかからず、特許文献１に開示された技術と比較して、カバーが破損し難くなる。
【００８２】
なお、上記した実施形態は、以下の（１）乃至（７）のように変形するようにしてもよい。
【００８３】
（１）本発明を適用可能な記録装置は、インクジェット記録装置のみに限定されるものではなく、種々の方式により記録媒体Ｓに記録を行う記録装置に適用可能である。また、本発明を適用可能な記録装置は、上記実施形態のような、所謂、フルラインタイプのインクジェット記録装置のみに限定されるものではなく、例えば、シリアルスキャン方式のインクジェット記録装置に対しても適用可能である。
【００８４】
（２）上記実施形態では、カバー９０を開く際の処理について、搬送異常が生じた場合を一例として説明したが、カバー９０を開けて実行される種々の処理がなされる所定のタイミングで、こうしたカバー９０を開く処理を実行するようにしてもよい。具体的には、例えば、搬送経路の内部清掃を行う場合には、まず、記録枚数が所定枚数に達するなどのタイミングで、前処理として、記録ヘッド８を待機位置へ移動して、記録ヘッド８に対してキャップユニット１０によるキャッピングを行う。その後、操作パネル１０４に、ボタン１０４ａを表示し、ボタン１０４ａが選択されると、ロック部９２、９６によるカバー９０のロックを解除するとともに、搬送経路に対する具体的な清掃手順を表示することとなる。
【００８５】
（３）上記実施形態では、カバー９０を２つの部材（第１カバー９０ａ、第２カバー９０ｂ）により構成するようにしたが、これに限定されるものではない。即ち、カバー９０を１つまたは３つ以上の部材により構成するようにしてもよい。また、上記実施形態では、ロック部９６によりロックが解除された際に、第２カバー９０ｂが所定量だけ回動するようにしたが（図９（ｃ）参照）、これに限定されるものではない。即ち、第２カバー９０ｂは、ロックが解除されると、図９（ｂ）のように、十分に開いた状態となるまで回動するようにしてもよい。
【００８６】
また、上記実施形態では特に記載しなかったが、第１カバー９０ａは、ロックが解除されると付勢部材９３によって、所定量だけ回動するようにしてもよいし、図９（ｂ）のように、十分に開いた状態となるまで回動するようにしてもよい。なお、十分に開いた状態とは、例えば、閉じた状態から９０°回動して開いた状態である。さらに、上記実施形態では、第１カバー９０ａ、第２カバー９０ｂが回動して開閉する構成としたが、これに限定されるものではない。即ち、第１カバー９０ａ、第２カバー９０ｂは、スライドして、搬送経路の露出および遮断を行うようにしてもよい。
【００８７】
（４）上記実施形態では、操作パネル１０４に、カバー９０を開けるためのボタン１０４ａが表示されるようにしたが、これに限定されるものではない。即ち、カバー９０を開けるためのスイッチ（ボタン）を機械的に構成し、記録装置１においてユーザが操作可能な位置に設けるようにしてもよい。なお、このスイッチは、常時操作可能なようにしてもよいし、検知部２１２で搬送異常を検知するなどの所定のタイミングで、操作可能となるようにしてもよい。また、上記実施形態では、搬送異常が生じた際に操作パネル１０４にボタン１０４ａを表示するようにしたが、これに限定されるものではない。即ち、ボタン１０４ａは、操作パネル１０４に常時表示されているようにしてもよい。
【００８８】
（５）上記実施形態では、検知部２１２により記録媒体Ｓの搬送異常を検知し、記録ヘッド８が待機位置でキャップユニット１０により保護された後に、操作パネル１０４にボタン１０４ａが表示されるようにしたが、これに限られるものではない。即ち、記録ヘッド８が待機位置でキャップユニット１０により保護される動作と並行して、操作パネル１０４にボタン１０４ａが表示されるようにしてもよい。
【００８９】
（６）上記実施形態では、手掛かり部９４を、第２カバー９０ｂにおいて閉じた状態のときに外部に露出しない位置に設けるようにしたが、これに限定されるものではない。即ち、第２カバー９０ｂにおいて、閉じた状態のときに外部に露出しないように手掛かり部９４を覆う機構を備えるようにしてもよい。また、第１カバー９０ａに手掛かり部９４を設けるようにしてもよい。あるいは、第２カバー９０ｂに対して手掛かり部９４を設けないようにしてもよい。さらに、手掛かり部９４は、閉じた状態のときに外部に露出するようにして、カバー９０が開けられないことを操作パネル１０４に表示してもよい。
【００９０】
（７）上記実施形態においては、第１カバー９０ａ、第２カバー９０ｂは、閉じた状態のときに付勢部材９３によって、それぞれ開く方向に付勢されるようにしたが、これに限定されるものではない。即ち、第１カバー９０ａ、第２カバー９０ｂはそれぞれ、中心軸に設けられたねじりバネなどの付勢部材によって常に開く方向に付勢されるようにしてもよい。また、上記実施形態では、閉じた状態の第１カバー９０ａ、第２カバー９０ｂは、バネなどの弾性部材により形成される付勢部材９３によって付勢されるようにしたが、これに限定されるものではない。即ち、第１カバー９０ａ、第２カバー９０ｂを押圧する押圧部を設け、ロック部９２、９６のロックが解除された際に、押圧部が第１カバー９０ａ、第２カバー９０ｂを押圧することで、第１カバー９０ａ、第２カバー９０ｂを開く方向に付勢するようにしてもよい。従って、この場合には、押圧部が付勢手段として機能している。また、搬送制御部２０７は搬送経路において搬送異常が起きた場所を特定できるため、搬送異常が起きた場所に応じて第１カバー９０ａのみを開けたり、反対に第２カバー９０ｂのみを開けたりする構成であってもよい。
【符号の説明】
【００９１】
１  記録装置
９０  カバー
９２、９６  ロック部
９３  付勢部材
【図１】
2019136915.tif 000003
【図２】
2019136915.tif 000004
【図３】
2019136915.tif 000005
【図４】
2019136915.tif 000006
【図５】
2019136915.tif 000007
【図６】
2019136915.tif 000008
【図７】
2019136915.tif 000009
【図８】
2019136915.tif 000010
【図９】
2019136915.tif 000011
【図１０】
2019136915.tif 000012
【図１１】
2019136915.tif 000013
【図１２】
2019136915.tif 000014
【図１３】
2019136915.tif 000015